(57)【特許請求の範囲】
【請求項１】
撮像装置において、
撮像素子を有する撮像装置本体と、
前記撮像装置本体に取り付けられたレンズ部と、
前記レンズ部を保護するレンズキャップと、
前記レンズキャップに設けられた係合片と、
前記撮像装置本体を把持するためのグリップベルトと、
前記グリップベルトに取り付けられ、前記係合片が係合されることにより前記レンズキャップを収納保持するキャップ保持部と、前記レンズキャップを前記撮像装置本体に繋ぐキャップストリングが一定の抵抗をもって移動可能に挿通されるキャップストリング通し穴を有するレンズキャップホルダーと、を設け、
前記キャップストリングを引張ることにより前記レンズキャップを前記キャップ保持部側に引き寄せることによっても前記レンズキャップを前記レンズキャップホルダーに収納保持できるようにした
ことを特徴とする撮像装置。
【請求項２】
前記レンズキャップホルダーは、前記グリップベルトに移動可能に取り付けられている
ことを特徴とする請求項１に記載の撮像装置。
【請求項３】
前記レンズキャップホルダーは、前記グリップベルトより突出する凸部を有し、
前記凸部に前記キャップ保持部が形成されている
ことを特徴とする請求項１に記載の撮像装置。
【請求項４】
前記凸部は、前記グリップベルトより表面側に突出している
ことを特徴とする請求項３に記載の撮像装置。
【請求項５】
前記レンズキャップホルダーは、前記キャップ保持部が前記キャップストリング通し穴よりも表面側に形成されている
ことを特徴とする請求項１から４のいずれかに記載の撮像装置。
【請求項６】
前記レンズキャップホルダーは、前記グリップベルトが挿通される基部を更に備え、
前記凸部は、前記基部に連続して形成され、
前記キャップストリング通し穴は、前記キャップ保持部と前記基部の間に形成されている
ことを特徴とする請求項１から４のいずれかに記載の撮像装置。
【請求項７】
前記キャップ保持部は、キャップ保持穴を有し、
前記ストリング通し穴は、前記キャップ保持穴と平行に形成されている
ことを特徴とする請求項６に記載の撮像装置。
【請求項８】
撮像装置のグリップベルトに取り付けられ、レンズキャップに設けられた係合片が係合されることにより前記レンズキャップを収納するキャップ保持部と、前記レンズキャップを前記撮像装置に繋ぐキャップストリングが一定の抵抗をもって移動可能に挿通されるキャップストリング通し穴を有し、
前記キャップストリングを引張ることにより前記レンズキャップを前記キャップ保持部側に引き寄せることによっても前記レンズキャップを収納保持できるようにしたことを特徴とするレンズキャップホルダー。
【発明の詳細な説明】
【０００１】
【発明の属する技術分野】
本発明は、撮像装置においてレンズキャップを収納保持するためのレンズキャップホルダー及びこのレンズキャップホルダーを備えた撮像装置に関する。
【０００２】
【従来の技術】
撮像装置として例えばハンディタイプのビデオカメラにおいては、撮影時以外のときにレンズ部を覆って保護するためのレンズキャップが付属している。
【０００３】
通常このレンズキャップはキャップストリングによってカメラ装置に繋げられており、撮影時にはレンズ部からレンズキャップを外した状態でもレンズキャップが紛失することのないようにしてある。
【０００４】
しかしながら、この場合レンズキャップが撮像装置から垂れ下がった状態で撮影を行なうことになるため、レンズキャップが揺れて撮影の邪魔になったり、レンズキャップの当たる音が異音として記録されてしまったりする等の不具合が生じていた。
【０００５】
そこで従来は、レンズキャップに係合片を設け、撮影時にはこの係合片を撮像装置のグリップベルトに引掛けてレンズキャップを収納保持するようにしたものが提案されている。
【０００６】
【発明が解決しようとする課題】
ところが、このようにレンズキャップを撮像装置のグリップベルトに直接引掛けて収納するようにした従来の方法は、グリップベルトに手を通した状態では非常に引掛けにくく、使いずらいという問題があった。
【０００７】
本発明はこのような問題点を解消することを課題としてなされたものである。
【０００８】
【課題を解決するための手段】
上記の課題を解決するために本発明は、撮像装置のグリップベルトに取り付けられ、レンズキャップに設けられた係合片が係合されることによりレンズキャップを収納保持するキャップ保持部（穴）と、レンズキャップを撮像装置に繋ぐキャップストリングが一定の抵抗をもって移動可能に挿通されるキャップストリング通し穴を有し、キャップストリングを引張ることによりレンズキャップをキャップ保持部側に引き寄せることによってもレンズキャップを収納保持できるようにしたレンズキャップホルダーを提供するものである。
また、本発明は、撮像素子を有する撮像装置本体と、撮像装置本体に取り付けられたレンズ部と、このレンズ部を保護するレンズキャップと、レンズキャップに設けられた係合片と、撮像装置本体を把持するためのグリップベルトと、グリップベルトに取り付けられ、係合片が係合されることによりレンズキャップを収納保持するキャップ保持部と、レンズキャップを撮像装置本体に繋ぐキャップストリングが一定の抵抗をもって移動可能に挿通されるキャップストリング通し穴を有するレンズキャップホルダーと、を設けている。そして、キャップストリングを引張ることによりレンズキャップをキャップ保持部側に引き寄せることによってもレンズキャップをレンズキャップホルダーに収納保持できるようにしたことを特徴とする撮像装置を提供するものである。
【０００９】
このレンズキャップホルダーを用いることにより、レンズキャップが垂れ下がらないようにこれを簡単に収納状態に保持することができる。そして、このレンズキャップホルダーでは、レンズキャップの係合片を係合させて収納する方法と、キャップストリングを引張って収納する方法の二通りの方法をユーザーが自由に選べるので、大変に便利である。
【００１０】
【発明の実施の形態】
以下、図面を参照しながら本発明の実施の形態例について詳細に説明する。
【００１１】
図１は撮像装置の一例としてハンディタイプのＶＴＲ一体型ビデオカメラ装置を示している。
図において１は撮像装置本体、２はレンズ部、３はマイクロホン内蔵部、４はビューファインダー、５はビデオテープカセット装着部、６は操作パネル部である。
【００１２】
また７はグリップベルトであり、撮影時にはこのグリップベルト７の内側に手を通した状態で撮像装置本体１を把持し、レンズ部２を被写体に向けてビューファインダー４を後方から覗きながら撮影を行なうものである。
尚、８はグリップベルト７を覆うように装着されるソフトカバーである。
【００１３】
この撮像装置にはレンズキャップ１０が付属しており、撮影時以外のときにはこのレンズキャップ１０をレンズ部２に被せてレンズを保護するようにしている。
【００１４】
このレンズキャップ１０はＡＢＳなどのプラスチックによりなり、その裏面側には図２に示す如く左右両側に夫々ロック爪１１ａを有する可動部１１が設けられている。
この可動部１１はレンズキャップ本体に対し内外方向に移動可能となされており、かつ弾性部１１ｂの作用によって弾性復帰力を付与されている。
【００１５】
そしてこのレンズキャップ１０を撮像装置本体１のレンズ部２に被せた状態では、左右のロック爪１１ａがレンズ部２の開口の内周に係合することによってレンズキャップ１０はその状態でロックされ、一方レンズキャップ１０をレンズ部２から外すときには、左右の可動部１１を指で挟むようにして内方へ押圧して移動させ、ロック爪１１ａによるレンズキャップ１０のロックを解除するようにする。
【００１６】
このレンズキャップ１０はキャップストリング１４によって撮像装置本体１に繋げられており、これによってレンズキャップ１０の紛失防止を図っている。
【００１７】
さらにこのレンズキャップ１０はレンズ部２から外した状態で垂れ下がることのないように、本発明によるレンズキャップホルダー１６に収納状態で保持できるようになっている。
【００１８】
このレンズキャップホルダー１６の構造を図２及び図３においてさらに詳しく説明する。
このレンズキャップホルダー１６は撮像装置のグリップベルト７に取り付けられるもので、即ちその基部１６ａにはグリップベルト７が横方向に挿通されるベルト通し穴１７が形成されており、このベルト通し穴１７においてグリップベルト７に対し長手方向に移動可能に取り付けられている。
【００１９】
そしてこのレンズキャップホルダー１６には、基部１６ａに連続してグリップベルト７より表面側に突出する凸部１６ｂが形成されており、この凸部１６ｂにはレンズキャップ１０に設けられた係合片１２が係合されるキャップ保持部としてのキャップ保持穴１８が、グリップベルト７の通し方向と直交する方向即ち上下方向に貫通して形成されている。
【００２０】
係合片１２はレンズキャップ１０の裏面側の中央部にＬ字形に突出して形成されており、この係合片１２をレンズキャップホルダー１６の上方からキャップ保持穴１８に差し込むようにして挿通係合させることでレンズキャップ１０を簡単に収納状態に固定保持できるものである。
【００２１】
この場合、キャップ保持穴１８はグリップベルト７より突出する凸部１６ｂに形成されていることにより、グリップベルト７に手を通した状態でもレンズキャップ１０の係合片１２をスムーズに係合させることができる。
【００２２】
尚、係合片１２の先端部の内側には図３で明らかな如く隆起部１２ａが形成されており、この隆起部１２ａと対向してレンズキャップ１０の裏面側に形成された突部１３との間が幅狭となされていることによって、係合片１２がキャップ保持穴１８から簡単には抜け出ることのない構造となっている。
【００２３】
さらに本例のレンズキャップホルダー１６においては、その基部１６ａとキャップ保持穴１８との間の部分に、キャップストリング通し穴１９がキャップ保持穴１８と平行に貫通して形成されており、このキャップストリング通し穴１９にキャップストリング１４が一定の摩擦抵抗をもって移動可能に挿通されている。
【００２４】
即ちこのキャップストリング通し穴１９は、キャップストリング１４が若干潰された状態で挿通されるような狭い内寸に形成されており、このためキャップストリング１４とキャップストリング通し穴１９との間には一定の摩擦抵抗が生じ、キャップストリング１４はレンズキャップ１０の重さが加わった程度では移動することがない。
【００２５】
尚、キャップストリング１４の末端部１４ａにはストッパー１５が取り付けられ、これによってキャップストリング１４がキャップストリング通し穴１９から抜け出ることを防止している。
【００２６】
このような構造を有することにより本例のレンズキャップホルダー１６では、上記の如くキャップ保持穴１８に係合片１２を挿通係合させてレンズキャップ１０を収納する方法の他に、キャップストリング１４を引張ることによってもレンズキャップを収納することができる。
【００２７】
即ち、図２においてキャップストリング１４の末端部１４ａを下方（矢印方向）に引張り、レンズキャップ１０がレンズキャップホルダー１６に当たるまでキャップストリング１４を一杯に移動させることにより、レンズキャップ１０は収納状態となる。
このとき、キャップストリング１４とキャップストリング通し穴１９との間には一定の摩擦抵抗があるため、レンズキャップ１０は収納状態で確実に固定保持されることになる。
【００２８】
以上の如く本例のレンズキャップホルダー１６においては、レンズキャップ１０が垂れ下がらないようにこれを収納状態に保持する方法が二通りあり、何れかをユーザーが目的と状況に応じて自由に選ぶことができるものである。
【００２９】
以上、本発明の実施の形態の一例について説明したが、本発明はこの例に限定されるものでないことは勿論である。
例えば、レンズキャップホルダー１６のキャップ保持穴１８としては例示したような貫通穴に限ることなく凹穴としてもよいし、さらには穴でなくとも例えばフック状の引掛部としてもよい。
【００３０】
【発明の効果】
以上に説明した如く本発明のレンズキャップホルダーを用いることにより、レンズキャップが垂れ下がって撮影の邪魔にならないようにレンズキャップを簡単に収納状態に保持することができ、大変に使い易いものとなる。
さらにこのレンズキャップホルダーでは、レンズキャップの係合片を係合させて収納する方法と、キャップストリングを引張って収納する方法の二通りの方法をユーザーが自由に選べるので、一段と使い易いものとなる。即ち、例えば撮像装置を手で持って撮影するときにはキャップストリングを引張ることによってワンタッチでレンズキャップが揺れたりすることを防ぐことができるし、三脚に撮像装置を取り付けて本格的な撮影に時間をとるときには係合片をキャップ保持部に挿入してしっかりと固定することができて、撮影者は目的と状況に応じて選択的に使い分けが可能となったので、大変に便利である。
【図面の簡単な説明】
【図１】本発明によるレンズキャップホルダーを備えた撮像装置の斜視図である。
【図２】本発明によるレンズキャップホルダーとレンズキャップとの関係を示す斜視図である。
【図３】同、レンズキャップが収納された状態の縦断面図である。
【符号の説明】
１‥‥撮像装置本体、２‥‥レンズ部、７‥‥グリップベルト、１０‥‥レンズキャップ、１４‥‥キャップストリング、１６‥‥レンズキャップホルダー、１６ａ‥‥基部、１６ｂ‥‥凸部、１８‥‥キャップ保持穴（キャップ保持部）、１９‥‥キャップストリング通し穴
【図１】
0004120080.tif 000002
【図２】
0004120080.tif 000003
【図３】
0004120080.tif 000004